(57)【要約】      （修正有）【課題】敷・掛布団への着脱が簡単にでき、敷・掛布団の上下面から確実に挟持できて布団内の熱が漏出しないようにし、しかも圧迫感や窮屈感を感じさせない布団挟持具を提供する。【解決手段】上下の布団を挟持する布団挟持具１であって、下の布団Ａの下面から当接させる下部当接棒１０と、上の布団Ｂの上面から当接させる上部当接棒２０と、それら一対の上下部当接棒をその両端付近でそれぞれ連結する一対の連結チェーン３０とからなり、該一対の連結チェーン３０は、前記下部当接棒１０には固定して取り付けると共に、前記上部当接棒２０にはその挿通孔に通すことで、前記上部当接棒２０と前記下部当接棒１０との間隙を調節自在に構成し、且つ前記上部当接棒２０を所定の間隙位置で固定するチェーン固定手段を設けた。【選択図】図１
0003142942.tif 000002
【実用新案登録請求の範囲】
【請求項１】
上下の布団を挟持する布団挟持具であって、下の布団の下面から当接させる下部当接棒と、上の布団の上面から当接させる上部当接棒と、それら一対の上下部当接棒をその両端付近でそれぞれ連結する一対の連結チェーンとからなり、該一対の連結チェーンは、前記下部当接棒には固定して取り付けると共に、前記上部当接棒にはその挿通孔に通すことで、前記上部当接棒と前記下部当接棒との間隙を調節自在に構成し、且つ前記上部当接棒を所定の間隙位置で固定するチェーン固定手段を設けたことを特徴とする布団挟持具。
【請求項２】
チェーン固定手段は、挿通孔に連通溝を介して形成される止め穴からなり、一対の連結チェーンはボールチェーンとし、ボールチェーンを前記挿通孔から前記連通溝を介して前記止め穴に係止することで、固定するように構成したことを特徴とする請求項１に記載の布団挟持具。
【請求項３】
止め穴は、球状の窪み部分に設けられていることを特徴とする請求項２に記載の布団挟持具。
【請求項４】
一対の上下部当接棒は、軸方向に伸縮自在に構成していることを特徴とする請求項１又は２に記載の布団挟持具。
【請求項５】
上部当接棒の挿通孔は、孔を直接若しくは止め穴を介して前記上部当接棒の端部付近に開放するように形成することで、連結チェーンを取り外し自在とし、上部当接棒の端部付近をキャップで着脱自在に閉鎖することで前記連結チェーンを挿通孔内に保持させるようにしたことを特徴とする請求項１〜４の何れかに記載の布団挟持具。
【請求項６】
上部当接棒は、棒の全長に渡って覆設カバーを取り付けていることを特徴とする請求項１〜５の何れかに記載の布団挟持具。
【考案の詳細な説明】
【技術分野】
【０００１】
本考案は布団挟持具に関する。
【背景技術】
【０００２】
従来、ベッド或いは敷布団等の上に載置された掛布団等は、就寝中の寝返りや足の動きによってベッドから脱落したりズレが生じていた。従ってベッドを壁に近づけて掛布団を壁とベッドで挟んで固定したり、ベッドの床とマットレスとで掛布団を挟んだり、布団挟み等で寝具とベッドとを挟んだりして寝具のズレ防止をしていた。
一方、特開２００５−１９８８２４号公報には、長さ調整具（４）を設けた伸縮性のない長い帯状体（１）を掛布団の上又は敷布団の下に渡し、帯状体（１）の両端に取り外し可能な接続具（６）を介して２本ずつ設けられた伸縮性のある短い帯状体（２）の先端の止め具（３）で掛布団類又は敷布団類に固定するようにした寝具類のずれ防止具が提供されている（特許文献１）。
また特開２００３−２１０２９７号公報には、長尺の帯状体からなり、敷布団又はマットレスの下面に敷いて掛布団を重ね合わせた上から、帯状体の両端部分に設けた起毛部（３１）と面ファスナー（４）とで固定する寝具の位置ずれ防止具が提供されている（特許文献２）。
また特開２００３−６１７８７号公報には、敷き布団（Ａ）の左右に帯状の大きな左右の布（Ｂ、Ｃ）を取り付け、その布（Ｂ）の端にボタン穴（１、２、３）と少し離れた位置にボタン穴（４、５）を設け、前記布（Ｃ）の端にボタン（１’、２’、３’）を取り付けると共に少し離れた位置にボタン穴（６、７）を設け、敷き布団の左右の布（Ｂ、Ｃ）を回して掛け布団（Ｄ）を包むようにボタン（１’２’３’）で止めると共に、ボタン穴（４、５、６，７）の位置に合う様に掛け布団（Ｄ）にもボタン（４’、５’、６’、７’）を取り付けて止めるようにした就寝中の掛け布団のズレを防止するための敷き布団と掛け布団から成る寝具が提供されている（特許文献３）。
【特許文献１】特開２００５−１９８８２４号公報
【特許文献２】特開２００３−２１０２９７号公報
【特許文献３】特開２００３−６１７８７号公報
【考案の開示】
【考案が解決しようとする課題】
【０００３】
しかしながら、上記の様に掛布団を壁とベッドで挟んだり、ベッドの床とマットレスとで掛布団を挟んだり、布団挟み等で寝具とベッドとを挟んだりしても、何れも部分的な挟み込みであって固定されず、寝具のズレや漏熱を防止できない問題があった。
また特許文献１に示す寝具類のずれ防止具の場合、該防止具の使用の際に圧迫感や窮屈感を伴わない様に、本体を長い帯状体（１）で柔軟性があるように形成されているものの、止め具（３）で掛布団や敷布団に直接固定するので布団が傷み易く、また取り付け部分が掛布団類と敷布団類の幅方向となる布団両端に取り付けられるので固定し難くく、就寝中の足の動きや寝返りによって外れ易い問題がある。
また特許文献２に示す寝具の位置ずれ防止具の場合、本体が柔軟な帯状体であるので、寝具そのものに取り付けるのが困難であると共に、寝具への押圧が効かず、よって就寝中の体の動きで布団から少しずつ動いて外れる問題がある。
また特許文献３に示す就寝中の掛け布団のズレを防止するための敷き布団と掛け布団からなる寝具の場合、敷き布団の左右の布（Ｂ、Ｃ）で掛け布団（Ｄ）を包むようにボタン（１’２’３’）で止めると共に、ボタン穴（４、５、６，７）の位置に掛け布団（Ｄ）のボタン（４’、５’、６’、７’）を取り付けて止めるので、布団全体が包まれて本寝具を使用する際に圧迫感や窮屈感を感じる問題がある。
【０００４】
そこで本考案は上記従来技術の問題を解消し、敷・掛布団への着脱が簡単にでき、敷・掛布団の上下面から確実に挟持できて布団内の熱が漏出しないようにし、しかも圧迫感や窮屈感を感じさせない布団挟持具の提供を課題とする。
【課題を解決するための手段】
【０００５】
上記課題を達成するため本考案の布団挟持具は、上下の布団を挟持する布団挟持具であって、下の布団の下面から当接させる下部当接棒と、上の布団の上面から当接させる上部当接棒と、それら一対の上下部当接棒をその両端付近でそれぞれ連結する一対の連結チェーンとからなり、該一対の連結チェーンは、前記下部当接棒には固定して取り付けると共に、前記上部当接棒にはその挿通孔に通すことで、前記上部当接棒と前記下部当接棒との間隙を調節自在に構成し、且つ前記上部当接棒を所定の間隙位置で固定するチェーン固定手段を設けたことを第１の特徴としている。
また本考案の布団挟持具は、上記第１の特徴に加えて、チェーン固定手段は、挿通孔に連通溝を介して形成される止め穴からなり、一対の連結チェーンはボールチェーンとし、該ボールチェーンを前記挿通孔から前記連通溝を介して前記止め穴に係止することで、固定するように構成したことを第２の特徴としている。
また本考案の布団挟持具は、上記第２の特徴に加えて、止め穴は、球状の窪み部分に設けられていることを第３特徴としている。
また本考案の布団挟持具は、上記第１又は第２の特徴に加えて、一対の上下部当接棒は、軸方向に伸縮自在に構成していることを第４特徴としている。
また本考案の布団挟持具は、上記第１〜第４の何れかの特徴に加えて、上部当接棒の挿通孔は、孔を直接若しくは止め穴を介して前記上部当接棒の端部付近に開放するように形成することで、連結チェーンを取り外し自在とし、上部当接棒の端部付近をキャップで着脱自在に閉鎖することで前記連結チェーンを挿通孔内に保持させるようにしたことを第５特徴としている。
また本考案の布団挟持具は、上記第１〜第５の何れかの特徴に加えて、上部当接棒は、棒の全長に渡って覆設カバーを取り付けていることを第６特徴としている。
【考案の効果】
【０００６】
請求項１に記載の布団挟持具によれば、上下の布団を挟持する布団挟持具であって、下の布団の下面から当接させる下部当接棒と、上の布団の上面から当接させる上部当接棒と、それら一対の上下部当接棒をその両端付近でそれぞれ連結する一対の連結チェーンとからなり、該一対の連結チェーンは、前記下部当接棒には固定して取り付けると共に、前記上部当接棒にはその挿通孔に通すことで、前記上部当接棒と前記下部当接棒との間隙を調節自在に構成し、且つ前記上部当接棒を所定の間隙位置で固定するチェーン固定手段を設けたので、
上部当接棒は連結チェーンを挿通させて上下自由に動かせるので、上下部当接棒の間に上下の布団を入れ、上部当接棒を押圧して締め付けることができる。よって上下の布団に対して着脱が簡単にできる。
また所定の締付位置において上部当接棒に設けたチェーン固定手段により連結チェーンを簡単操作して固定させることで、上下の布団を上下部当接棒で挟持することができる。
これにより上の布団の上面と下の布団の下面とを、棒の長さによって当接面を幅広く、確実に挟持することができ、就寝中の体や足の動きによる布団の浮き上がりやズレを防ぐことができる。勿論、上下の布団を確りと挟持できることによって、布団内の熱の漏出を防ぐことができる。
また連結チェーンによって上下部当接棒の間隙調節が自在になるので、挟持する上下の布団や毛布等の厚みに対応させることができる。
更に布団の挟持位置を布団の下端或いは横側と自由に挟持させることができるので、使用時に圧迫感や窮屈感を感じることなく使用できる。
【０００７】
また請求項２に記載の布団挟持具によれば、請求項１に記載の構成による作用効果に加えて、チェーン固定手段は、挿通孔に連通溝を介して形成される止め穴からなり、一対の連結チェーンはボールチェーンとし、該ボールチェーンを前記挿通孔から前記連通溝を介して前記止め穴に係止することで、固定するように構成したので、
上部当接棒を押圧して布団を締め付け、所定位置で前記ボールチェーンを前記挿通孔から前記連通溝を通過させて前記止め穴に固定することで、前記上部当接棒は上下の動きを制止されて布団を挟持状態で保持できる。それにより就寝中に体や足の動きが生じても布団の浮き上がりやズレを防ぐことができる。
【０００８】
また請求項３に記載の布団挟持具によれば、請求項２に記載の構成による作用効果に加えて、止め穴は、球状の窪み部分に設けられているので、
前記ボールチェーンのボール部分を球状の窪み部分によって確実に受け止めて固定することができる。よって前記上部当接棒が足等の動きで傾斜しても、前記ボールチェーンのボール部分を球状の窪み部分が確実に受け止めているので、外れることなく保持できる。
【０００９】
また請求項４に記載の布団挟持具によれば、請求項１又は２に記載の構成による作用効果に加えて、一対の上下部当接棒は、軸方向に伸縮自在に構成しているので、
布団の幅サイズに対応できるよう前記一対の上下部当接棒を軸方向に伸縮自在にしているので、シングルサイズの布団やダブルサイズの布団等の幅に長さを対応させることができる。
【００１０】
また請求項５に記載の布団挟持具によれば、請求項１〜４に記載の構成による作用効果に加えて、上部当接棒の挿通孔は、孔を直接若しくは止め穴を介して前記上部当接棒の端部付近に開放するように形成することで、連結チェーンを取り外し自在とし、上部当接棒の端部付近をキャップで着脱自在に閉鎖することで前記連結チェーンを挿通孔内に保持させるようにしたので、
上部当接棒の端部に取り付けられた前記キャップを外すだけで、前記連結チェーンを取り出すことができる。よって挟持する上下の布団等の厚みによって長尺の連結チェーンを必要とする際に交換ができるようになる。
また前記連結チェーンの損傷時にも連結チェーンを交換ができるようになる。
また前記上部当接棒の端部に設けた挿通孔と止め穴との位置を左右逆に設け、前記止め穴から前記上部当接棒の端部に開放する開放溝を形成した上部当接棒を形成することができる。よって前記開放溝で連結チェーンを外すことができると共に、前記開放溝は前記挿通孔よりも細くなることで、前記連結チェーンの動きを制止することができ、前記上部当接棒は、寝具を締め付けて係止した端部付近を閉鎖するキャップの負荷を軽減させることができる。
また前記上部当接棒と同様に挿通孔と止め穴との位置を左右逆に端部に設け、前記開放溝を形成せず、挿通孔と止め穴と、それらを結合する連通溝のみ形成した上部当接棒を形成することができる。よって連結チェーンの取り外しは挿通孔から行うようにすることで、前記キャップには負荷はかからずに装着させることができる。
【００１１】
また請求項６に記載の布団挟持具によれば、請求項１〜５の何れかに記載の構成による作用効果に加えて、上部当接棒は、棒の全長に渡って覆設カバーを取り付けているので、
前記上部当接棒に覆設カバーを取り付けたことによって、本布団挟持具を目立つことなく使用できる。
また覆設カバー４０は、布団の柄や部屋のイメージに合わせることができるので、色や柄模様等を自由に取替え自在に装着することができる。
【考案を実施するための最良の形態】
【００１２】
以下の図面を参照して、本考案の実施形態に係る布団挟持具について説明する。
図１は本考案の実施形態に係る布団挟持具を示す斜視図、図２は下部当接棒での連結チェーンの取り付けの要部を示す斜視図、図３は本考案の上部当接棒に形成されたチェーン固定手段の要部を示す平面図、図４は挿通孔と止め穴とを左右逆に設けて開放溝を形成したチェーン固定手段を示す平面図、図５は挿通孔と止め穴とを連通する連通溝とで形成されたチェーン固定手段を示す平面図、図６はチェーン固定手段に連結チェーンが係止された状態を示す断面図、図７は上部当接棒からキャップを外して連結チェーンを取り出せる状態を示す断面図、図８は上部当接棒の全長に装着した覆設カバーを示す正面図、図９は上下部当接棒に当接棒接続具を取り付けて布団の縦方向にも挟持できる状態を示す斜視図である。
【００１３】
図１を参照して、本考案の布団挟持具１は、下部当接棒１０と、上部当接棒２０と、それら一対の上下部当接棒１０、２０をその両端付近でそれぞれ連結する一対の連結チェーン３０、３０とで構成される。
また図１で示される前記布団挟持具１の上部当接棒２０は、棒の全長に渡って覆設カバー４０を装着して構成される。
一対の連結チェーン３０、３０はボールチェーン３１、３１として構成されている。
【００１４】
図１を参照して、下部当接棒１０は、下の布団Ａの下面に当接させる棒として、強度がある金属製の直管パイプを用いて構成している。しかし、これに限定されるものではなく、樹脂製やその他の材質のものを用いることができる。
下部当接棒１０は、口径の違う小径下部当接棒１０ａと大径下部当接棒１０ｂとからなり（図８参照）、締付け継手具１３によって接続されている。
【００１５】
図２も参照して、下部当接棒１０は、その両端部の上縁（上部当接棒２０と対向する側）にそれぞれチェーン取付溝１１を形成している。
また下部当接棒１０は、その両端部に、それぞれ着脱自在となる下部キャップ１２を挿着している。
【００１６】
チェーン取付溝１１は、前記下部当接棒１０の両端部付近に設けられた前記ボールチェーン３１を係止するための孔で、前記下部当接棒１０の両端部を開放するよう形成される。取付溝１１は、後述するボールチェーン３１のボール３１ａの径より狭く、連結ピン３１ｂの径より広く構成される。
【００１７】
下部キャップ１２は、前記下部当接棒１０の両端部に着脱自在に挿着できるキャップである。
また下部キャップ１２には、前記下部当接棒１０に形成されるチェーン取付溝１１に対応する部分を切り欠きして貫通させる嵌合欠成部１２ａを形成している。これによりボールチェーン３１の他端を前記下部当接棒１０のチェーン取付溝１１に挿入して係止し、下部キャップ１２を両端部に挿着して閉鎖することで、前記ボールチェーン３１の他端を前記下部当接棒１０に取り付けることができる。
【００１８】
締付け継手具１３は、口径の違う大小２本の下部当接棒１０ａ、１０ｂを所定の長さで締め付けて固定する継手である。よって大小２本の下部当接棒１０ａ、１０ｂは伸縮自在となって、布団の幅サイズに対応するよう構成される。
【００１９】
上部当接棒２０は、上の布団Ｂの上面に当接させる棒として、材質を強度がある金属製の直管パイプを用いて構成される。しかし、これに限定されるものではなく、樹脂製やその他の材質のものを用いることができる。
上部当接棒２０は、口径の違う小径上部当接棒２０ａと大径上部当接棒２０ｂとからなり（図８参照）、締付け継手具２６によって接続されている。
【００２０】
図３を参照して、上部当接棒２０には、その両端部の上下縁にボールチェーン３１を挿通させる挿通孔２１を形成している。
また前記上下縁に設けられた挿通孔２１のうちの一方には、連通溝２２を介してチェーン固定手段である止め穴２３が設けられている。
また上部当接棒２０は、その両端部に、それぞれ着脱自在となる上部キャップ２５を挿着している。
【００２１】
図６、図７も参照して、挿通孔２１は上部当接棒２０の端部付近に設けられたボールチェーン３１を挿通させるための孔で、前記当接棒２０の両端部を開放するように上下縁に計４つ形成されている。これによってボールチェーン３１の上部当接棒２０への取り付け、取り外しが自在となる。また前記挿通孔２１は後述するボールチェーン３１のボール３１ａの径よりやや大きな幅に構成されているので、前記上部キャップ２５を挿着して上部当接棒２０の端部を閉鎖すると、ボールチェーン３１に嵌ったままの状態で上部当接棒２０を上下に動かすことができる。
【００２２】
前記連通溝２２は、挿通孔２１と止め穴２３とを連通させる溝である。この連通溝２２は、ボールチェーン３１のボール３１ａの径より狭く、連結ピン３１ｂの径よりやや広く構成されている。これによってボールチェーン３１を挿通孔２１から止め穴２３に移動させて、ボールチェーン３１を係止させたい位置で前記止め穴２３に係止させることができる。
【００２３】
前記止め穴２３はボールチェーン３１を係止するためのチェーン固定手段であって、上部当接棒２０の両端部の上下縁に設けられた４つの挿通孔２１のうち、上縁、即ち下部当接棒１０と対向する側とは反対の側、にある両端部（計２つ）に設けられている。この各止め穴２３は挿通孔２１と前記連通溝２２を介して連通している。
前記止め穴２３は球状の窪み２４部分に設けられている。即ち、止め穴２３の周囲が窪み２４とされている。
前記窪み２４を設けることにより、ボールチェーン３１のボール３１ａを受け止め易く、且つ確実に固定することができる。
前記止め穴２３でボールチェーン３１を係止することにより、上部当接棒２０を所定の間隙位置で固定することができる。
【００２４】
上部キャップ２５は、前記上部当接棒２０の両端部に着脱自在に挿着できるキャップである。
また上部キャップ２５には、前記上部当接棒２０に形成される前記挿通孔２１や前記連通溝２２と前記止め穴２３に対応する部分を切り欠きして貫通させる嵌合欠成部２５ａを形成している。嵌合欠成部２５ａは、挿通孔２１と同程度の幅とする。要するに、ボールチェーン３１のボール３１ａを通すことができる大きさとする。
これにより前記上部当接棒２０の前記挿通孔２１にボールチェーン３１を挿入し、上部キャップ２５を両端部に挿着して閉鎖することで、上部当接棒２０を上下に動かすことができる。
【００２５】
図４に、前記挿通孔２１と止め穴２３の位置を前述のものとは左右逆に設け、前記止め穴２３から連通させて端部に開放溝２８を形成している上部当接棒２０を示す。
前記開放溝２８は、止め穴２３に連通して上部当接棒２０の端部を開放するための溝である。これによってボールチェーン３１をチェーン固定手段である前記止め穴２３から開放溝２８に移動させて、前記ボールチェーン３１を上部当接棒２０から外すことができる。また前記開放溝２８は前記挿通孔２１よりも細く構成しているので、前記ボールチェーン３１の動きを制止することができ、寝具を締め付けて係止することによって生じる弾発力から端部付近を閉鎖する上部キャップ２５の負荷を軽減することができる。
【００２６】
図５に、図４の上部当接棒２０と同様に、挿通孔２１と止め穴２３との位置を左右逆に端部に設けたものを示す。ここでは前記開放溝２８を形成せず、挿通孔２１と、止め穴２３と、それらを結合する連通溝２２のみを形成している。これによって前記ボールチェーン３１の取り外しは挿通孔２１から行うようになり、前記上部キャップ２５には負荷をかけずに装着することができる。
【００２７】
締付け継手具２６は、口径の違う小径上部当接棒２０ａと大径上部当接棒２０ｂとを所定の長さで締め付けて固定する継手である。よって口径の違う小径上部当接棒２０ａと大径上部当接棒２０ｂとは伸縮自在となって、布団の幅サイズに対応するよう構成される。
【００２８】
一対の連結チェーン３０のボールチェーン３１は、材質にチェーンとして強い金属製のボール３１ａと、該ボール３１ａの内側で係止される連結ピン３１ｂとで複数が交互に連結して形成される。これにより柔軟性のあるチェーンが形成される。
またボールチェーン３１は、その先端となる部分にチェーンを引き出す際に用いる引出つまみ３２を設けている。
【００２９】
引出つまみ３２は、前記ボールチェーン３１より大きい円球状であって、その中心には貫通穴３２ａを形成している。よってボールチェーン３１を引き出す際に手にかかり易く、引き出しが容易にできる。
また引出つまみ３２は、その形状を円球状としているが、四角形や円柱等の形状のものでもよい。然るに円球状の引出つまみ３２は、手で握る際に収まり易く、布団を締め付けてチェーンを引き出す際には手が痛くなく、確りと引き出すことができるものである。
貫通穴３２ａは、前記ボールチェーン３１の末端を挿入して固定される。
【００３０】
図８も参照して、覆設カバー４０は、該覆設カバー４０の上側に前記上部当接棒２０を挿通できる袋部４０ａを縫製している。
袋部４０ａを前記上部当接棒２０に挿通させることで、覆設カバー４０を上部当接棒２０に装着することができる。
覆設カバー４０を上部当接棒２０の棒の全長に渡って取り付けることによって、布団挟持具１を目立たせることなく、使用することができる。
また覆設カバー４０は、布団の柄や部屋のイメージに合わせ、例えば色や柄模様等を自由に、取替え自在に装着することができる。
【００３１】
以上のような構成により、本考案の布団挟持具１を使用する際には、前記下部当接棒１０の両端に設けたチェーン取付溝１１、１１にボールチェーン３１、３１を係止して下部キャップ１２、１２で閉鎖して固定する。前記上部当接棒２０の両端付近に設けた挿通孔２１に前記ボールチェーン３１、３１を挿通して、前記上部当接棒２０を上下に動かせるよう上部キャップ２５、２５で閉鎖して固定する。前記下部当接棒１０と前記上部当接棒２０との間に、毛布やシーツ等も上下の布団Ａ、Ｂに重ねて差し入れ、全体を挟み込む。
所定の挟持位置で、前記上部当接棒２０を上の布団Ｂに対して押圧しながらボールチェーン３１を引き出して締め付ける。確実に締め付けたら、上部当接棒２０の挿通孔２１、２１にあるボールチェーン３１、３１を連通溝２２、２２に移動させ、該連通溝２２、２２に連結ピン３１ｂ、３１ｂを挿通させて、ボールチェーン３１、３１ののボール３１ａ、３１ａを前記止め穴２３、２３に係止して固定する。
これにより下の布団Ａの下面にある前記下部当接棒１０と、上の布団Ｂの上面にある前記上部当接棒２０とで、上下の布団Ａ、Ｂを確実に挟持することができる。
また布団挟持具１を外す際には、前記ボールチェーン３１、３１の引出つまみ３２、３２を引き出し、前記ボールチェーン３１、３１を前記止め穴２３、２３から外して挿通孔２１、２１に移動させる。これにより前記上部当接棒２０が自由となって上下の布団Ａ、Ｂから布団挟持具１を取り外すことができる。
【００３２】
なお図９を参照して、前記下部当接棒１０と前記上部当接棒２０は、下の布団Ａと上の布団Ｂに当接させる棒として一方向だけの当接に限定されず、前記下部当接棒１０と前記上部当接棒２０の表面に直角或いは所定の角度を有する当接棒接続具１４、２７を着脱自在に取り付けることができる。それによって当接棒接続具１４、２７に新たな下部当接棒１０と上部当接棒２０とを伸縮自在に接続して、下の布団Ａと上の布団Ｂとの上下面で縦方向や斜め方向等に当接させることが可能となる。そして下部当接棒１０と上部当接棒２０とを連結チェーン３０で連結させて上下の布団Ａ、Ｂを確りと挟持することができる。
【図面の簡単な説明】
【００３３】
【図１】本考案の実施形態に係る布団挟持具を示す斜視図である。
【図２】下部当接棒での連結チェーンの取り付けの要部を示す斜視図である。
【図３】本考案の上部当接棒に形成されたチェーン固定手段の要部を示す平面図である。
【図４】挿通孔と止め穴とを左右逆に設け開放溝を形成したチェーン固定手段を示す平面図である。
【図５】挿通孔と止め穴とを連通する連通溝とで形成されたチェーン固定手段を示す平面図である。
【図６】チェーン固定手段に連結チェーンが係止された状態を示す断面図である。
【図７】上部当接棒から上部キャップを外して連結チェーンを取り出せる状態を示す断面図である。
【図８】上部当接棒の全長に装着した覆設カバーを示す正面図である。
【図９】上下部当接棒に当接棒接続具を取り付けて布団の縦方向にも挟持できる状態を示す斜視図である。
【符号の説明】
【００３４】
１      布団挟持具
Ａ      下の布団
Ｂ      上の布団
１０      下部当接棒
１０ａ    小径下部当接棒
１０ｂ    大径下部当接棒
１１      チェーン取付溝
１２      下部キャップ
１２ａ    嵌合欠成部
１３      締付け継手具
１４      当接棒接続具
２０      上部当接棒
２０ａ    小径上部当接棒
２０ｂ    大径上部当接棒
２１      挿通孔
２２      連通溝
２３      止め穴
２４      球状の窪み
２５      上部キャップ
２５ａ    嵌合欠成部
２６      締付け継手具
２７      当接棒接続具
２８      開放溝
３０      連結チェーン
３１      ボールチェーン
３１ａ    ボール
３１ｂ    連結ピン
３２      引出つまみ
３２ａ    貫通穴
４０      覆設カバー
４０ａ    袋部
【図１】
0003142942.tif 000003
【図２】
0003142942.tif 000004
【図３】
0003142942.tif 000005
【図４】
0003142942.tif 000006
【図５】
0003142942.tif 000007
【図６】
0003142942.tif 000008
【図７】
0003142942.tif 000009
【図８】
0003142942.tif 000010
【図９】
0003142942.tif 000011